(57)【要約】【課題】荒廃した森林（竹林を含む）の整備を促進し、森林所有者の利益に供し、併せて整備した森林を市民の楽しみに提供できる森林整備レンタルシステムを提供する。【解決手段】森林整備レンタル事業者サーバー100を森林所有者端末300と森林借用希望者端末400と通信回線200で結ぶ。整備評価点を設定し、評価点の合計値に応じて複数の整備ランクを設定した森林整備条件データベース111、貸出評価点を設定し、評価点の合計値に応じて複数の貸出ランクを設定した森林貸出条件データベース113を備え、森林所有者端末300から森林状況情報を受信し、整備評価点を合計し、整備ランクを決定する。森林借用希望者端末400から借用希望条件を受信し、貸出可能森林一覧から希望条件を満たす森林情報を検索し、貸出評価点を合計し、貸出ランクを決定する。整備ランクから森林整備費用を、貸出ランクから森林貸出費用をそれぞれ算出する。【選択図】図１
2012178072.tif 000002
【特許請求の範囲】
【請求項１】
森林所有者端末と森林整備レンタル事業者サーバーが通信回線を介して接続された森林整備レンタルシステムにおいて、
前記森林整備レンタル事業者サーバーは、
複数の整備評価項目毎に整備難易度に応じて複数の整備評価点が設定されると共に、それぞれの整備評価項目毎に得られる整備評価点の合計値に応じて複数の整備ランクが設定された森林整備条件データベースと、
森林所有者端末から複数の整備評価項目毎に森林状況情報を受信し、それぞれの整備評価項目毎に当該森林状況情報に対応して得られる整備評価点を合計し、整備ランクを決定する整備ランク決定手段と、
決定された整備ランクから森林整備費用を算出する森林整備費用算出手段と、
算出した森林整備費用を森林所有者端末に通知する手段と、
森林整備費用が通知された森林所有者端末から森林整備申込情報を受信し、受付ける森林整備受付手段を備える、
ことを特徴とする森林整備レンタルシステム。
【請求項２】
前記森林整備レンタル事業者サーバーは、
複数の借受評価項目毎に複数の借受評価点が設定されると共に、それぞれの借受評価項目毎に得られる借受評価点の合計値に応じて複数の借受ランクが設定された森林借受条件データベースと、
森林整備を申込んだ森林所有者端末から複数の借受評価項目毎に森林状況情報を受信し、それぞれの借受評価項目毎に当該森林状況情報に対応して得られる借受評価点を合計し、借受ランクを決定する借受ランク決定手段と、
決定された借受ランクから森林借受費用を算出する森林借受費用算出手段と、
算出した森林借受費用を森林所有者端末に通知する手段と、
森林借受費用が通知された森林所有者端末から森林貸付申込情報を受信し、受付ける森林貸付受付手段とを備える、
ことを特徴とする請求項１記載の森林整備レンタルシステム。
【請求項３】
森林借用希望者端末と森林整備レンタル事業者サーバーが通信回線を介して接続され、
前記森林整備レンタル事業者サーバーは、
整備済み森林の貸出評価項目毎に複数の貸出評価点が設定されると共に、各貸出評価項目毎に得られる貸出評価点の合計値に応じて複数の貸出ランクが設定された森林貸出条件データベースと、
森林所有者から借受契約した整備済み森林から、森林借用希望者に対し再貸出可能な貸出可能森林一覧を生成する生成手段と、
森林借用希望者端末から複数の森林借用希望条件を受信し、貸出可能森林一覧から、森林借用希望条件を満たす貸出可能森林情報を検索する検索手段と、
検索された貸出可能森林情報の貸出評価項目に対応する貸出評価点を合計し、貸出ランクを決定する貸出ランク決定手段と、
決定された貸出ランクから森林貸出費用を算出する森林貸出費用算出手段と、
算出した森林貸出費用を森林借用希望者端末に通知する手段と、
森林貸出費用が通知された森林借用希望者端末から森林借用申込情報を受信し、受付ける森林借用受付手段を備える、
ことを特徴とする請求項１または請求項２に記載の森林整備レンタルシステム。
【請求項４】
森林には竹林が含まれることを特徴とする請求項１ないし請求項３のいずれか一項に記載の森林整備レンタルシステム。
【発明の詳細な説明】
【技術分野】
【０００１】
本発明は、荒廃した森林（竹林を含む）を所有する森林所有者が、その端末から森林整備事業者サーバーにアクセスして、森林整備を申込むとともに、併せて、森林整備事業者が整備済み森林を借用し、市民向けに貸出し可能な森林整備レンタルシステムに関する。
【背景技術】
【０００２】
近年、我が国は林業等の振興を図るため、各地にスギなどの人工林を植生し、間伐等の森林整備を行ってきたが、安価な外国材の輸入による国産材の需要減少や林業従事者の高齢化等により、費用のかかる間伐等の森林整備が難しくなっており、そのため、森林の荒廃が進行し、問題となっている。また、竹林は、竹製品の素材となる竹の生産や竹の子の収穫等に広く活用されてきたが、竹製品の需要の減少や農業従事者の高齢化等により竹林の荒廃が進行し、放置竹林の増加が問題となっている。
【０００３】
一方、農山村地区の高齢化、過疎化の進行に対し、都市部では人口の増大や住宅の過密化が進行している。このため、都市部に住む住民が自宅や近郊で農作業を楽しむ場合、自宅に家庭菜園を設けて楽しむか、せいぜい近郊の市民農園を借りて楽しむ位しか手段がなかった。しかしながら、市民農園の場合、現状では面積や数が少なくて申し込みに限りがあり、多くの住民が申込んでみんなが楽しめるという状況にはなかった。
【０００４】
この種の市民農園（家庭菜園）の利用に関して、そこで生産された農産物を広くインターネットを通じて販売するシステムが提案されている（特許文献１等）。
【特許文献１】特開２００６−１２０１０４号公報
【発明の概要】
【発明が解決しようとする課題】
【０００５】
しかしながら、荒廃した森林（竹林を含む）の整備を促進し、森林所有者の利益に供し、併せて、整備した森林を市民の楽しみに提供できるようにしたシステムについては、これまで何ら提案がなされていなかった。
【０００６】
本発明は、前記課題に鑑みてなされたもので、荒廃した森林（竹林を含む）の整備を促進し、森林所有者の利益に供することのできる森林整備レンタルシステムを提供すること、併せて、整備した森林を市民の楽しみに提供できる森林整備レンタルシステムを提供することを目的とする。
【課題を解決するための手段】
【０００７】
上記課題を解決するために、本発明に係る森林整備レンタルシステムは、
森林所有者端末と森林整備レンタル事業者サーバーが通信回線を介して接続された森林整備レンタルシステムにおいて、
複数の整備評価項目毎に難易度に応じて複数の整備評価点を設定すると共に、それぞれの整備評価項目毎に得られる整備評価点の合計値に応じて複数の整備ランクを設定した森林整備条件データベースと、
森林所有者端末から複数の整備評価項目毎に森林状況情報を受信し、それぞれの整備評価項目毎に当該森林状況情報に対応して得られる整備評価点を合計し、整備ランクを決定する整備ランク決定手段と、
決定された整備ランクから森林整備費用を算出する森林整備費用算出手段と、
算出した森林整備費用を森林所有者端末に通知する手段と、
森林整備費用が通知された森林所有者端末から森林整備申込情報を受信し、受付ける森林整備受付手段を備える、ことを主要な特徴とする。
【０００８】
本発明に係る森林整備レンタルシステムは、
前記森林整備レンタル事業者サーバーが、
複数の借受評価項目毎に複数の借受評価点を設定すると共に、それぞれの借受評価項目毎に得られる借受評価点の合計値に応じて複数の借受ランクを設定した森林借受条件データベースと、
森林整備を申込んだ森林所有者端末から複数の借受評価項目毎に森林状況情報を受信し、それぞれの借受評価項目毎に当該森林状況情報に対応して得られる借受評価点を合計し、借受ランクを決定する借受ランク決定手段と、
決定された借受ランクから森林借受費用を算出する森林借受費用算出手段と、
算出した森林借受費用を森林所有者端末に通知する手段と、
森林借受費用が通知された森林所有者端末から森林貸付申込情報を受信し、受付ける森林貸付受付手段とを備える、ことを第２の特徴とする。
【０００９】
本発明に係る森林整備レンタルシステムは、
森林借用希望者端末と森林整備レンタル事業者サーバーが通信回線を介して接続され、
前記森林整備レンタル事業者サーバーが、
整備済み森林の貸出評価項目毎に複数の貸出評価点を設定すると共に、各貸出評価項目毎に得られる貸出評価点の合計値に応じて複数の貸出ランクを設定した森林貸出条件データベースと、
森林所有者から借用契約した整備済み森林から、森林借用希望者端末に対し再貸出可能な貸出可能森林一覧を生成する生成手段と、
森林借用希望者端末から複数の森林借用希望条件を受信し、貸出可能森林一覧から、森林借用希望条件を満たす貸出可能森林情報を検索する検索手段と、
検索された貸出可能森林情報の貸出評価項目に対応する貸出評価点を合計し、貸出ランクを決定する貸出ランク決定手段と、
決定された貸出ランクから森林貸出費用を算出する森林貸出費用算出手段と、
算出した森林貸出費用を森林借用希望者端末に通知する手段と、
森林貸出費用が通知された森林借用希望者端末から森林借用申込情報を受信し、受付ける森林借用受付手段を備える、ことを第３の特徴とする。
【００１０】
本発明に係る森林整備レンタルシステムは、森林に竹林が含まれることを第４の特徴とする。
【発明の効果】
【００１１】
以上説明したように、本発明に係る森林整備レンタルシステムによると、森林所有者が同システムを活用することにより、自己が所有する荒廃した森林（竹林を含む）の整備を、整備条件の難易度に応じた適正なコストで森林整備レンタル事業者に依頼することができ、これにより各地の荒廃森林の整備を促進し、また、整備済み森林を、森林整備レンタル事業者に貸付けることにより利益を図ることができる。これによって、各地の整備済みの森林を有効活用し、産物収穫による利益創出、ひいては地域活性化を図ることができるという優れた効果を奏する。
【００１２】
また、本発明に係る森林整備レンタルシステムによると、一般市民等の森林借用希望者が同システムを活用することにより、自己の希望条件に合う整備済み森林を適正な価格で貸出を受けることができ、多くの市民が農林作業を楽しめると共に、そこから収穫される産品から利益を得ることもできるという効果を奏する。
【図面の簡単な説明】
【００１３】
【図１】本システムの全体概略を示す図、
【図２】森林整備レンタル事業者サーバーの構成図、
【図３】整備レンタル条件データベース部の構成図、
【図４】（Ａ）は整備評価項目表、（Ｂ）は整備契約ランク表の構成図、
【図５】（Ａ）は借受評価項目表、（Ｂ）は借受契約ランク表の構成図、
【図６】（Ａ）は貸出評価項目表、（Ｂ）は貸出契約ランク表の構成図、
【図７】貸出可能一覧表の構成図、
【図８】処理実行部の構成図、
【図９】森林所有者が森林整備レンタル事業者に森林整備を申込む手順を示すもので、本システムのサイトの初期画面を示す図、
【図１０】図９の初期画面の次の画面を示す図、
【図１１】図１０の画面の次の画面を示す図、
【図１２】図１１の画面の次の画面を示す図、
【図１３】図１２の画面の次の画面を示す図、
【図１４】図１３の画面の次の画面を示す図、
【図１５】図１４の画面の次の画面を示す図、
【図１６】図１５の画面の次の画面を示す図、
【図１７】図１６の画面の次の画面を示す図、
【図１８】図１７の画面の次の画面を示す図、
【図１９】図１８の画面の次の画面を示す図、
【図２０】一般市民が整備済み森林の借用を森林整備レンタル事業者に申し込む手順を示すもので、図９の初期画面の次の画面を示す図、
【図２１】図２０の画面の次の画面を示す図、
【図２２】図２１の画面の次の画面を示す図、
【図２３】図２２の画面の次の画面を示す図、
【図２４】図２３の画面の次の画面を示す図、
【図２５】図２４の画面の次の画面を示す図、
【図２６】図２５の画面の次の画面を示す図、
【図２７】図２６の画面の次の画面を示す図、
【図２８】図２７の画面の次の画面を示す図、
【図２９】図２８の画面の次の画面を示す図、
【図３０】図２９の画面の次の画面を示す図、
【図３１】図３０の画面の次の画面を示す図、
【図３２】図３１の画面の次の画面を示す図、
【図３３】図３２の画面の次の画面を示す図、
【図３４】図３３の画面の次の画面を示す図、
【図３５】図３４の画面の次の画面を示す図である。
【発明を実施するための最良の形態】
【００１４】
以下、本発明の一実施形態について、図面を参照しながら説明する。
【００１５】
図１は、本発明に係る森林整備レンタルシステムＳの構成例を示している。図１に示すように、本システムＳは、森林整備レンタル事業者サーバー１００を備え、同サーバー１００は、インターネット回線２００を介して、複数の森林所有者端末３００および複数の森林借用希望者端末４００と接続されている。ここで、森林には竹林も含み、森林所有者とは竹林所有者も含む概念である。
【００１６】
森林整備レンタル事業者サーバー１００は、図２に示すように、整備レンタル条件データベース部１１０と、整備レンタル申込受付データベース部１２０と、処理実行部１３０と、制御部１４０と、送受信部１５０を有する。
【００１７】
整備レンタル条件データベース部１１０は、森林整備条件データベース１１１と、森林借受条件データベース１１２と、森林貸出条件データベース１１３を有する。
【００１８】
森林整備条件データベース１１１には、森林整備を希望する森林所有者から森林整備レンタル事業者が森林整備を引き受ける場合の森林整備条件が設けられている。同森林整備条件には、図３に示すように、整備評価項目表１１１Ａと整備契約ランク表１１１Ｂが含まれている。整備評価項目表１１１Ａには、複数の整備評価項目毎に難易度に応じて複数の整備評価点が設定されている。整備契約ランク表１１１Ｂには、整備評価項目毎に得られる整備評価点の合計値に応じて複数の整備契約ランクが設定されている。図４（Ａ）に整備評価項目表１１１Ａの一例を、図４（Ｂ）に整備契約ランク表１１１Ｂの一例を示す。
【００１９】
整備評価項目表１１１Ａには、図４（Ａ）に示すように、整備する森林の評価項目として、［道路からの距離］［傾斜度］［岩石度］［竹・木密集度］［搬出性］の５つが評価点と共に含まれている。［道路からの距離］は道路から森林入口までの距離が近いほど評価点が高く、距離が遠いほど評価点が低く設定されている。［傾斜度］は整備する森林の傾斜が緩やかであるほど評価点が高く、傾斜が急であるほど評価点が低く設定されている。［岩石度］は整備する森林の単位面積当りの岩石が少ないほど評価点が高く、単位面積当りの岩石が多いほど評価点が低く設定されている。［竹・木密集度］は整備する森林の単位面積当りの竹・木の密集度が小さいほど評価点が高く、同密集度が高いほど評価点が低く設定されている。［搬出性］は整備する森林からの伐採林の搬出性が容易であるほど評価点が高く、搬出性が困難であるほど評価点が低く設定されている。なお、評価点はいずれも５点から１点までの５段階評価である。また、評価項目はいずれか一あるいは複数の組み合わせであってもよい。
【００２０】
整備契約ランク表１１１Ｂには、図４（Ｂ）に示すように、総合ランク（Ａ〜Ｅ）と、総合ランク（Ａ〜Ｅ）に対応する評価点合計と、総合ランク（Ａ〜Ｅ）に対する単位面積当たりの整備契約金額が含まれている。ここで、評価点合計は、整備する個々の森林について、整備評価項目表１１１Ａに掲載された整備評価項目毎の評価点を合計する。Ａランクは評価点合計２３〜２５点、Ｂランクは１８〜２２点、Ｃランクは１５〜１７点、Ｄランクは１２〜１４点、１１点以下はEランクである。Ａランクが最も単位面積当たりの整備契約金額が安く、次いでＢ→Ｃ→Ｄ→Ｅの順に単位面積当たりの整備契約金額が次第に高くなる。つまり、整備評価点合計が高い程、評価がよくて整備金額が低くなり、整備評価点合計が低い程、評価が悪く整備金額が高くなる。
【００２１】
森林借受条件データベース１１２には、整備済み又は整備申込み済の森林を森林所有者から森林整備レンタル事業者が借り受ける（レンタルする）場合の借受条件（レンタル条件）が設けられている。なお、借り受け対象の森林は未整備の森林あるいは所有者によって整備済みの森林であってよい。借受条件には、図３に示すように、借受評価項目表１１２Ａと借受契約ランク表１１２Ｂが含まれている。借受評価項目表１１２Ａには、複数の借受評価項目毎に難易度に応じて複数の借受評価点が設定されている。借受契約ランク表１１２Ｂには、借受評価項目毎に得られる借受評価点の合計値に応じて複数の借受契約ランクが設定されている。図５（Ａ）に借受評価項目表１１２Ａの一例を、図５（Ｂ）に借受契約ランク表１１２Ｂの一例を示す。
【００２２】
借受評価項目表１１２Ａには、図５（Ａ）に示すように、借受する森林の評価項目として、［道路からの距離］［傾斜度］［搬出性］［景観度］の４つが評価点と共に含まれている。ここで、［道路からの距離］［傾斜度］［搬出性］の各評価内容は上記と同様である。［景観度］は借受する森林の景観がよいほど評価点が高く、景観が悪いほど評価点が低く設定されている。評価点はいずれも５点から１点までの５段階評価である。また、評価項目はいずれか一あるいは複数の組み合わせであってもよい。
【００２３】
借受契約ランク表１１２Ｂには、図５（Ｂ）に示すように、総合ランク（Ａ〜Ｅ）と、総合ランク（Ａ〜Ｅ）に対応する評価点合計と、総合ランク（Ａ〜Ｅ）に対する単位面積当たりの借受契約金額が含まれている。ここで、評価点合計は、借受する個々の森林について、借受評価項目表１１２Ａに掲載された借受評価項目毎の評価点を合計する。Ａランクは評価点合計１８〜２０点、Ｂランクは１５〜１７点、Ｃランクは１２〜１４点、Ｄランクは１０〜１１点、９点以下はEランクである。整備契約ランク表１１１Ａと異なり、Ａランクが最も単位面積当たりの借受契約金額が高く、次いでＢ→Ｃ→Ｄ→Ｅの順に単位面積当たりの借受契約金額が低くなる。つまり、森林整備レンタル業者からみて、借受評価点合計が高い程、評価が良くて借受金額が高くなり、借受評価点合計が低い程、評価が悪く借受金額が低くなる。
【００２４】
森林貸出条件データベース１１３には、森林所有者から森林整備レンタル事業者が借受した整備済み森林であって、森林整備レンタル事業者が一般市民に再貸出する場合の貸出条件が設けられている。貸出条件には、図３に示すように、貸出評価項目表１１３Ａと貸出契約ランク表１１３Ｂと一般市民向けに再貸出可能な貸出可能森林一覧表１１３Ｃが含まれている。貸出評価項目表１１３Ａには、複数の貸出評価項目毎に複数の貸出評価点が設定されている。貸出契約ランク表１１３Ｂには、貸出評価項目毎に得られる貸出評価点の合計値に応じて複数の貸出契約ランクが設定されている。図６（Ａ）に貸出評価項目表１１３Ａの一例を、図６（Ｂ）に貸出契約ランク表１１３Ｂの一例を、図７に貸出可能森林一覧表１１３Ｃの一例を示す。
【００２５】
貸出評価項目表１１３Ａには、図６（Ａ）に示すように、整備済み森林の貸出評価項目として、［道路からの距離］［日照度］［岩石度］［竹・木密集度］［搬出性］［景観度］の６つが評価点と共に含まれている。［道路からの距離］［岩石度］［竹・木密集度］［景観度］の各評価内容は上記と同様である。［日照度］は森林の単位面積当りの日照時間が多いほど評価点が高く、日照時間が少ないほど評価点が低く設定されている。［搬出性］は森林からの産物の搬出性が容易であるほど評価点が高く、搬出性が困難であるほど評価点が低く設定されている。評価点は［道路からの距離］が１０点から２点までの５段階評価で、残りはいずれも５点から１点までの５段階評価である。また、評価項目はいずれか一または複数の組み合わせであってよい。
【００２６】
貸出契約ランク表１１３Ｂには、図６（Ｂ）に示すように、総合ランク（Ａ〜Ｅ）と、総合ランク（Ａ〜Ｅ）に対応する評価点合計と、総合ランク（Ａ〜Ｅ）に対する単位面積当たりの貸出契約金額が含まれている。ここで、評価点合計は、貸出する個々の森林について、貸出評価項目表１１３Ｂに掲載された貸出評価項目毎の評価点を合計する。評価点合計３１〜３５点をＡランク、２７〜３０点をＢランク、２１〜２６点をＣランク、１５〜２０点をＤランク、１４点以下をＥランクとする。貸出契約金額は、Ａランクが最も高く、ＡランクからＥランクにいくほど順に低く設定されている。
【００２７】
貸出可能森林一覧表１１３Ｃには、図７に示すように、貸出可能な森林毎に、物件ＮＯ、種別、所有者、所在地、面積、貸出評価項目毎の評価点、総合ランク、貸出金額の各データが含まれている。ここで、貸出評価項目毎の評価点は、森林整備レンタル業者により実際に貸出対象の森林の現場が確認され、点数が付けられる。
【００２８】
整備レンタル申込受付データベース部１２０は、図２に示すように、森林所有者から森林整備の申込みを受付ける森林整備受付データベース１２１と、森林所有者から整備済み又は整備申込済み森林の貸付申込みを受付ける森林貸付受付データベース１２２と、一般市民向けに再貸出可能な貸出可能森林一覧表１１３Ａのうち、一般市民から借用の申込みを受付ける森林借用受付データベース１２３を有する。
【００２９】
森林整備受付データベース１２１には、森林所有者端末３００からの入力情報に基づき、受付番号、森林整備申込者、整備申込森林の各情報が保存される。森林整備申込者情報には、氏名、連絡先、住所等が含まれる。整備申込森林情報には、種別（森林／竹林）、所在地、面積に加え、森林所有者の評価による整備評価項目表中の評価内容と評価点、評価点合計、総合ランク、概算整備費用が含まれる。森林所有者端末３００からの森林現場の画像、あるいは受付後に森林整備レンタル業者による森林現場の画像を含めてよい。
【００３０】
森林貸付受付データベース１２２には、森林所有者端末３００からの入力情報に基づき、受付番号、森林貸付申込者、貸付申込森林の各情報が保存される。森林貸付申込者情報には、氏名、連絡先、住所等が含まれる。貸付申込森林情報には、種別（森林／竹林）、所在地、面積に加え、森林所有者の評価による借受評価項目表中の評価内容と評価点、評価点合計、総合ランク、概算借受費用が含まれる。整備後の森林現場の画像を含めてよい。なお、貸付申込者の情報は整備申込者の情報と、貸付申込森林の情報は整備申込森林の情報と共有化できる。
【００３１】
森林借用受付データベース１２３には、森林借用希望者端末４００からの入力情報に基づき、受付番号、借用申込者、借用申込森林の各情報が保存される。借用申込者情報には、氏名、連絡先、住所等が含まれる。借用申込森林情報には、種別（森林／竹林）、希望所在地、希望面積に加え、森林借用希望者の希望による貸出評価項目表中の希望内容と評価点、評価点合計、総合ランク、概算貸出費用が含まれる。なお、借用申込森林の情報は貸付申込森林の情報と共有化できる。
【００３２】
処理実行部１３０は、図８に示すように、計算処理部１３１とランク付け処理部１３２と生成処理部１３３と検索処理部１３４と受付番号発行部１３５を有する。
【００３３】
計算処理部１３１は、森林所有者端末３００からの入力情報を受けて、整備評価項目表１１１Ａ中の整備評価項目毎に得られる整備評価点を合計し、ランク付け処理部１３２に従い、ランク付けされた総合ランク（Ａ〜Ｅ）に対応する単位面積当たりの整備契約金額と面積から概算整備費用を算出する。また、森林所有者端末３００からの入力情報を受けて、借受評価項目毎に得られる借受評価点を合計し、ランク付け処理部１３２に従い、ランク付けされた総合ランク（Ａ〜Ｅ）に対応する単位面積当たりの借受契約金額と面積から概算借受備費用を算出する。さらに、森林借用希望者端末４００からの入力情報を受けて、貸出評価項目表１１３Ａ中の貸出評価項目毎に得られる貸出評価点を合計し、ランク付け処理部１３２に従い、ランク付けされた総合ランク（Ａ〜Ｅ）に対応する単位面積当たりの貸出契約金額と面積から概算貸出費用を算出する。
【００３４】
ランク付け処理部１３２は、計算処理部１３１で算出された整備評価点、借受評価点、貸出評価点の各合計値に従い、総合ランクＡ〜Ｅのうちいずれか一のランク付けを実行する。
【００３５】
生成処理部１３３は、森林所有者端末３００からの森林貸付申込情報および森林整備レンタル事業者端末１００からの入力情報（貸出評価項目の客観的評価点など）を受けて、借受契約した森林のうち、一般市民向けに再貸出可能な貸出可能森林一覧表１１３Ａを生成する。
【００３６】
検索処理部１３４は、一般市民向けに再貸出可能な貸出可能森林一覧表１１３Ａのなかから、森林借用希望者端末４００から入力された希望情報を基に、借用希望条件と一致する森林情報を検索する。
【００３７】
受付番号発行部１３５は、森林所有者端末３００から森林整備申込情報を受付けると、整備受付番号を発行し、森林所有者端末３００から貸付申込情報を受付けると、貸付受付番号を発行し、森林借用希望者端末４００からの借用申込情報を受付けると、借用受付番号を発行する。
【００３８】
なお、制御部１５０はシステム全体を統括する。送受信部１６０は森林所有者端末３００と森林借用希望者端末４００からの入力情報を受信し、森林所有者端末３００と森林借用希望者端末４００に対し、処理実行部１３０で生成された情報のうち、森林所有者端末３００向けに生成された出力情報および森林借用希望者端末４００向けに生成された出力情報をそれぞれ送信する。
【００３９】
次に、本システムＳを用いて、森林所有者が森林整備レンタル事業者に森林整備を申込む手順について、図９ないし図１９を用いて説明する。
【００４０】
森林所有者が端末３００から本システムＳのサイトにアクセスすると、図９の初期画面Ｓ１が示される。森林所有者コース１Ａの［ＥＮＴＥＲ］ボタンをクリックすると、図１０の選択画面Ｓ２に移行する。ここで、選択画面Ｓ２の整備・貸出選択欄２にある４つの選択コース（［竹林整備］［森林整備］［竹林貸出］［森林貸出］）から一を選択する（ここでは［竹林整備］を選択する）。
【００４１】
［竹林整備］をクリックすると、図１１に示す次の入力画面Ｓ３に移行する。表示欄３に表示された希望内容を確認し、入力欄４に所有竹林の所在地を入力する。［ＯＫ］ボタンをクリックすると、図１２に示す次の入力画面Ｓ４に移行し、入力欄５から所有竹林の概算面積を入力する。「ｍ２」「アール」「反」の各形式での入力が可能である（ここでは「ｍ２」形式の入力ボタンから概算面積を入力する）。
【００４２】
［ＯＫ］ボタンをクリックすると、図１３に示す次の入力画面Ｓ５に移行する。入力画面Ｓ５からは整備評価に必要な項目を入力する。まず、入力画面Ｓ５では、［道路までの距離］を選択欄６から選択する（ここでは[１００〜３００ｍ]を選択する）。図１４に示す次の入力画面Ｓ６では、［傾斜度］を選択欄７から選択する（ここでは［１０〜２０度］を選択する）。図１５に示す次の入力画面Ｓ７では整備状況として［岩石度］を選択欄８から選択する（ここでは［中程度］を選択する）。図１６に示す次の入力画面Ｓ８では整備状況として［竹・木密集度］を選択欄９から選択する（ここでは［中程度］を選択する）。図１７に示す次の入力画面Ｓ９では［搬出性］を選択欄１０ら選択する（ここでは［林道へ直通道路あり］を選択する）。以上の入力により、図１８に示す次の入力確認画面Ｓ１０に移行する。
【００４３】
入力確認画面Ｓ１０で、表示欄３に表示された入力項目をすべて確認し、確認入力欄１１で［はい］をクリックすると、全ての入力情報と、受付番号発行部１３５で発行された仮受付番号と、後述するランク付け処理部１３２でランク付けされた総合ランクと、後述する計算処理部１３１で算出された概算整備費用のそれぞれが森林整備受付データベース１２１に保存される。
【００４４】
計算処理部１３１では、入力情報に基づき、整備評価項目表１１１Ａ中の整備評価項目毎に得られる評価点を合計する。入力画面Ｓ５〜Ｓ９における各選択欄６〜１０の１〜５の各段階の評価は、整備評価項目表１１１Ａ中の対応する整備評価項目の評価点に対応しており、上記の例で評価点を合計すると、４点＋４点＋３点＋３点＋５点＝２１点となる。
【００４５】
なお、入力画面Ｓ５〜Ｓ９における各選択欄６〜１０で、［わからない］を選択した場合は、上限（評価点５）、下限（評価点１）の２種類の合計値（○○点〜○○点）を算出し、２種類の総合ランクと２種類の概算整備費用を算出するように処理がなされる。
【００４６】
ランク付け処理部１３２では、合計値（２１点）から整備ランクを決定する（ここでは２１点＝Ｂランクと決定する）。また、計算処理部１３１では、決定された整備ランク（Ｂランク）に対応する金額（１５００円／１００ｍ２）に竹林面積を掛けて概算整備費用を算出する。
【００４７】
入力確認画面Ｓ１０で、表示欄３に表示された入力項目をすべて確認し、確認入力欄１１で［はい］をクリックすると、図１９に示す次の確認画面Ｓ１１の［概算整備費用］表示欄１２に概算整備費用が表示される。森林所有者が概算整備費用を確認し、申込者入力欄１３に、申込者の氏名および連絡先番号を入力し、［ＯＫ］ボタンをクリックすると、竹林所有者による自己の端末３００からの竹林整備の申込が完了する。
【００４８】
その後、森林整備レンタル事業者の担当者から森林整備申込者に連絡がなされ、双方で竹林整備申込物件の現地を確認し、森林整備申込内容の詳細を双方で確認した上で、森林整備契約を取り交わす。
【００４９】
竹林整備を申し込んだ竹林所有者は、続けて竹林貸付の申込を希望する場合、図９に示す初期画面Ｓ１から図１０の次の選択画面Ｓ２に進み、竹林貸付コースを選択し、上記同様の手順で、竹林貸付を申し込むことができる。
【００５０】
本システムＳを活用することにより、森林または竹林の所有者は、所有する森林や竹林の整備にかかる適正な費用の概算を知ることができ、森林整備連レンタル事業者に対し適正な整備費用で所有する森林や竹林の整備を安心して申し込むことができ、これにより森林の荒廃や放置竹林の問題を解消することができる。
【００５１】
また、本システムＳを活用することにより、整備済み森林または竹林を、森林整備レンタル事業者に対し、適正な貸付費用で貸し付けることができ、森林または竹林の所有者は貸付による利益を得ることができる。
【００５２】
次に、本システムＳを用いて、一般市民が整備済み森林の借用を森林整備レンタル事業者に申し込む手順について、図２０ないし図３５を参照して説明する。
【００５３】
まず、一般市民である森林借用希望者が端末４００から本システムＳのサイトにアクセスすると、図９の初期画面Ｓ１が示される。ここで森林借用希望者コース１Ｂの[ＥＮＴＥＲ]ボタンをクリックすると、図２０に示す次の選択画面Ｓ１２に移行する。選択画面Ｓ１２には借用選択欄１４が設けられ、２つの種別（[竹林][森林]）から一を選択できる（ここでは[竹林]を選択する）。
【００５４】
図２１に示す次の入力画面Ｓ１３では借用する竹林の希望場所を選択欄１６から選択する（ここでは[出水市]を選択する）。図２２に示す次の入力画面Ｓ１４からは貸出評価に必要な借用希望条件を入力する。入力画面Ｓ１４では道路からの距離の希望を選択欄１７から選択する（ここでは[３００ｍ以内]を選択する）。図２３に示す次の入力画面Ｓ１５には借用する竹林の希望面積の入力欄１８が設けられ、３つの表示形式（「ｍ２」「アール」「反」）のいずれかを選択して入力できる（ここでは「ｍ２」形式で希望面積を入力する）。
【００５５】
[ＯＫ]ボタンをクリックし、図２４に示す次の入力画面Ｓ１６では、整備済み竹林の［日照度］についての希望を選択欄１９から選択する（ここでは［８時間以上］を選択する）。図２５に示す次の入力画面Ｓ１７では整備状況［岩石度］についての希望を選択欄２０から選択する。選択欄２０には簡略化された３段階の選択枝が設けられ、１〜３の選択枝はそれぞれ、貸出評価項目表１１３Ａの［岩石度］の評価点５、３、１に対応する。（ここでは、１の［岩石ができるだけ少ない方がよい］を選択する）。
【００５６】
図２６に示す次の入力画面Ｓ１８では、整備状況［竹・木密集度］についての希望を選択欄２１から選択する。選択欄２１には簡略化された３段階の選択枝があり、１〜３の選択枝はそれぞれ、貸出評価項目表１１３Ａの［竹・木密集度］の評価点５、３、１に対応する（ここでは［密集度はできるだけ少ない方がよい］を選択する）。
【００５７】
図２７に示す次の入力画面Ｓ１９では、［搬出性］についての希望を選択欄２２から選択する。選択欄２２には５段階の選択枝があり、１〜５の選択枝はそれぞれ、貸出評価項目表１１３Ａの［搬出性］の評価点５〜１に対応する（ここでは１の［良い（林道まで直通道路あり）］を選択する）。
【００５８】
図２８に示す次の入力画面Ｓ２０では、［［景観度］についての希望を選択欄２３から選択する。選択欄２３には簡略化された３段階の選択枝があり、１〜３の選択枝はそれぞれ、貸出評価項目表１１３Ａの［景観度］の評価点５、３、１に対応する（ここでは３の［気にしない］を選択する）。
【００５９】
図２９に示す次の確認画面Ｓ２１で表示欄１５の希望条件を確認し、確認欄２４で［はい］をクリックすると、図３０に示す次の検索画面Ｓ２２に移行する。［検索実行］ボタン２５をクリックすると、図８に示す検索処理部１３４が、貸出可能森林一覧表１１３Ｃから、希望条件に一致する整備済みの竹林貸出情報を検索し、図３１に示す次の検索結果表示画面Ｓ２３に、検索結果一覧２６が表示される。図示例の場合、希望条件に一致する整備済みの竹林貸出物件が３件表示されている。
【００６０】
図３１に示す検索結果一覧２６には、画像およびチェック欄が設けられ、借用を希望する竹林の画像を確認し、チェック欄にチェックを入れることで、借用を希望する竹林を選択することができる（ここでは、物件Ｎｏ＝貸出−００５の物件をチェックする）。確認欄２７で［はい］をクリックすると、図３２に示す次の選択画面Ｓ２４に移行する。選択画面Ｓ２４では、選択欄２５から希望する契約期間を選択する（ここでは、［３年］を選択する）。
【００６１】
以上の入力により、図３３に示す次の入力確認画面Ｓ２５に移行し、表示欄１５の希望内容を確認し、確認欄２６で［はい］をクリックすると、全ての入力情報と、受付番号発行部１３５で発行された仮受付番号と、後述するランク付け処理部１３２でランク付けされた総合ランクと、後述する計算処理部１３１で算出された概算貸出費用のそれぞれが森林貸出受付データベース１２３に保存される。
【００６２】
計算処理部１３１では、入力情報に基づき、貸出評価項目表１１３Ａ中の貸出評価項目毎に得られる評価点を合計する。入力画面Ｓ１４、Ｓ１６〜Ｓ２０における各選択欄１７、１９〜２３の各段階の評価は、貸出評価項目表１１３Ａ中の対応する貸出評価項目の評価点に対応しており、上記の例で評価点を合計すると、８点＋５点＋５点＋５点＋５点＋１点＝２９点となる。ランク付け処理部１３２が算出された合計値（２９点）から貸出ランクを決定する（ここでは２９点＝Ｂランクと決定する）。また、計算処理部１３１が決定された貸出ランク（Ｂランク）に対応する金額（１５００円／１００ｍ２）に竹林面積を掛けて概算貸出費用を算出する。
【００６３】
図３３に示す入力確認画面Ｓ２５で、確認入力欄２６の［はい］をクリックすると、図３４に示す次の確認画面Ｓ２６の［概算貸出費用］表示欄２７に概算貸出費用が表示される。森林借用希望者が概算整備費用を確認し、申込者入力欄２８に、申込者の氏名および連絡先番号を入力し、［ＯＫ］をクリックすると、森林借用希望者による竹林借用の申込が完了する。また、［ＯＫ］のクリックにより、図３５に示す次の確認画面Ｓ２７において森林整備レンタル事業者からのメッセージを森林借用希望者が受け取る。
【００６４】
その後、森林整備レンタル事業者の担当者から森林借用希望者に連絡がなされ、双方で竹林借用希望物件の現地を確認し、および森林借用希望者の借用申込み内容の詳細を双方で確認した上で、借用契約を取り交わす。
【００６５】
本システムＳによると、森林または竹林の借用を希望する一般市民が、自己の端末から本サイトにアクセスし、希望条件に合った整備済みの森林または竹林を検索し、整備状況の程度、搬出の容易性、景観の程度といった現場の環境条件を考慮した適正な貸出費用の概算を知ることができ、便利である。
【００６６】
同システムＳを活用することにより、一般市民は適正な貸出費用で希望する森林や竹林を借用して農作業を楽しむとともに、収穫による利益を得ることができ、また、多くの森林や竹林が貸出されることにより、各地の整備済みの森林を有効活用し、産物収穫による利益創出、ひいては地域活性化を図ることができるとともに、森林の荒廃や放置竹林の問題を解消することができる。
【産業上の利用可能性】
【００６７】
本発明に係るシステムは、荒廃した森林（竹林を含む）の整備を促進し、森林所有者の利益を図れる森林整備システムとして、整備した森林を市民の楽しみに提供できる森林レンタルシステムとして、それぞれ利用可能である。
【符号の説明】
【００６８】
１００  森林整備レンタル事業者サーバー
１１０  森林整備レンタル条件データベース部
１１１  森林整備条件データベース
１１１Ａ  整備評価項目表
１１１Ｂ  整備契約ランク表
１１２  森林借受条件データベース
１１２Ａ  借受評価項目表
１１２Ｂ  借受契約ランク表
１１３  森林貸出条件データベース
１１３Ａ  貸出評価項目表
１１３Ｂ  貸出契約ランク表
１１３Ｃ  貸出可能森林一覧表
１２０  整備レンタル申込受付データベース部
１２１  森林整備受付データベース
１２２  森林貸付受付データベース
１２３  森林借用受付データベース
１３０  処理実行部
１３１  計算処理部
１３２  ランク付け処理部
１３３  生成処理部
１３４  検索処理部
１３５  受付番号発行部
１４０  制御部
１５０  送受信部
２００  インターネット回線
３００  森林所有者端末
４００  森林借用希望者端末
Ｓ  森林整備レンタルシステム
【図１】
2012178072.tif 000003
【図２】
2012178072.tif 000004
【図３】
2012178072.tif 000005
【図４】
2012178072.tif 000006
【図５】
2012178072.tif 000007
【図６】
2012178072.tif 000008
【図７】
2012178072.tif 000009
【図８】
2012178072.tif 000010
【図９】
2012178072.tif 000011
【図１０】
2012178072.tif 000012
【図１１】
2012178072.tif 000013
【図１２】
2012178072.tif 000014
【図１３】
2012178072.tif 000015
【図１４】
2012178072.tif 000016
【図１５】
2012178072.tif 000017
【図１６】
2012178072.tif 000018
【図１７】
2012178072.tif 000019
【図１８】
2012178072.tif 000020
【図１９】
2012178072.tif 000021
【図２０】
2012178072.tif 000022
【図２１】
2012178072.tif 000023
【図２２】
2012178072.tif 000024
【図２３】
2012178072.tif 000025
【図２４】
2012178072.tif 000026
【図２５】
2012178072.tif 000027
【図２６】
2012178072.tif 000028
【図２７】
2012178072.tif 000029
【図２８】
2012178072.tif 000030
【図２９】
2012178072.tif 000031
【図３０】
2012178072.tif 000032
【図３１】
2012178072.tif 000033
【図３２】
2012178072.tif 000034
【図３３】
2012178072.tif 000035
【図３４】
2012178072.tif 000036
【図３５】
2012178072.tif 000037